(57)【要約】【課題】温水接続口が往き用か戻り用かを手の感触で正確に判別でき、往き用温水配管と戻り用温水配管とを間違いなく接続できる天井据え付け型浴室暖房乾燥機の温水配管の接続部の構造を提供する。【解決手段】浴室１の天井面２上の天井裏に浴室暖房乾燥機３を配置して取り付け、前記浴室暖房乾燥機３内の熱交換器と連通する往き用温水接続口１４ａと戻り用温水接続口１４ｂとを前記浴室暖房乾燥機３の外面に突設し、前記往き用温水接続口１４ａ及び戻り用温水接続口１４ｂに往き用温水配管及び戻り用温水配管を接続する操作を前記天井面２の点検口１５から行えるようにしたものである。これにおいて、前記往き用温水接続口１４ａと戻り用温水接続口１４ｂとを識別するために感触で判別できるマーク１８を往き用温水接続口１４ａの近傍と戻り用温水接続口１４ｂの近傍の少なくとも一方に設ける。【選択図】        図１
2004257712.tif 000002
【特許請求の範囲】
【請求項１】
浴室の天井面上の天井裏に浴室暖房乾燥機を配置して取り付け、前記浴室暖房乾燥機内の熱交換器と連通する往き用温水接続口と戻り用温水接続口とを前記浴室暖房乾燥機の外面に突設し、前記往き用温水接続口及び戻り用温水接続口に往き用温水配管及び戻り用温水配管を接続する操作を前記天井面の点検口から行えるようにした天井据え付け型浴室暖房乾燥機の温水配管の接続部の構造において、前記往き用温水接続口と戻り用温水接続口とを識別するために感触で判別できるマークを往き用温水接続口の近傍と戻り用温水接続口の近傍の少なくとも一方に設けたことを特徴とする天井据え付け型浴室暖房乾燥機の温水配管の接続部の構造。
【請求項２】
前記往き用温水接続口と戻り用温水接続口は点検口に対して一方が他方より遠くに離れるように位置がずれると共に上下にも位置がずれていることを特徴とする請求項１記載の天井据え付け型浴室暖房乾燥機の温水配管の接続部の構造。
【発明の詳細な説明】
【０００１】
【発明の属する技術分野】
本発明は、浴室の天井に据え付けた天井据え付け型浴室暖房乾燥機で給湯器から温水を供給する温水配管を接続する部分の構造に関するものである。
【０００２】
【従来の技術】
浴室の暖房や乾燥を行うために浴室の天井に浴室暖房乾燥機を設置することが広くおこなわれている。この浴室暖房乾燥機は内部に熱交換器を内装してあり、浴室内の空気を吸い込み口から吸い込んで熱交換器で空気を加熱し、この加熱した空気を吹き出し口から吹き出して浴室内を暖房したり乾燥したりするようになっており、また給湯器から温水配管を介して温水が熱交換器に供給されるようになっている（例えば、特許文献１参照）。
【０００３】
【特許文献１】
特開平９−２１５８９８号公報
【０００４】
【発明が解決しようとする課題】
ところで、浴室暖房乾燥機の熱交換器に温水配管を接続するために、浴室暖房乾燥機の外面から熱交換器と連通する往き用温水接続口と戻り用温水接続口を突設してあり、天井面に設けた点検口から天井裏に身を乗り出して往き用温水配管と戻り用温水配管とを夫々往き用温水接続口と戻り用温水接続口に差し込み接続している。しかしながら、点検口と往き用温水接続口や戻り用温水接続口とが離れており、点検口から天井裏に身を乗り出しても往き用温水接続口や戻り用温水接続口を目視することが難しい。特にメンテナンス時には温水接続口と点検口との間に排気ダクトがあるため、往き用温水接続口や戻り用温水接続口を目視することが一層難しい。このため、温水接続口を手で触るだけでは往き用なのか、戻り用なのか判別できす、往き用と戻り用とを間違えて温水配管が接続されることが起こる。
【０００５】
本発明は上記の点に鑑みてなされたものであり、温水接続口が往き用か戻り用かを手の感触で正確に判別でき、往き用温水配管と戻り用温水配管とを間違いなく接続できる天井据え付け型浴室暖房乾燥機の温水配管の接続部の構造を提供することを課題とするものである。
【０００６】
【課題を解決するための手段】
上記課題を解決するための本発明の天井据え付け型浴室暖房乾燥機の温水配管の接続部の構造は、浴室の天井面上の天井裏に浴室暖房乾燥機を配置して取り付け、前記浴室暖房乾燥機内の熱交換器と連通する往き用温水接続口と戻り用温水接続口とを前記浴室暖房乾燥機の外面に突設し、前記往き用温水接続口及び戻り用温水接続口に往き用温水配管及び戻り用温水配管を接続する操作を前記天井面の点検口から行えるようにしたものにおいて、前記往き用温水接続口と戻り用温水接続口とを識別するために感触で判別できるマークを往き用温水接続口の近傍と戻り用温水接続口の近傍の少なくとも一方に設けたことを特徴とする。
【０００７】
上記のように感触で判別できるマークを往き用温水接続口の近傍と戻り用温水接続口の近傍の少なくとも一方に設けたことにより、往き用温水接続口や戻り用温水接続口が目視できなくとも指でマークを触ることで往き用か戻り用かを判別でき、往き用温水配管と戻り用温水配管を区別して正確に接続できる。
【０００８】
また前記往き用温水接続口と戻り用温水接続口は点検口に対して一方が他方より遠くに離れるように位置がずれると共に上下にも位置がずれていることを特徴とすることも好ましい。この場合、マークで温水接続口が往き用か戻り用かを判別できると共に温水接続口の水平方向の位置ずれと上下の位置ずれでも温水接続口を区別でき、往き用温水配管と戻り用温水配管を一層区別して正確に接続できる。
【０００９】
【発明の実施の形態】
浴室１はユニットバスであり、浴室１の天井面２の上の天井裏には浴室暖房乾燥機３が配置されている。この浴室暖房乾燥機３は本例の場合、天井スラブ４から垂下した吊りボルト５に吊り支持することで据え付けてある。浴室暖房乾燥機３は下面側に天井面に露出するグリル６を設けてあり、このグリル６の部分には浴室１内の空気を吸い込む吸い込み口７と浴室１内に温風を吹き出す吹き出し口８を有している。天井面２には浴室暖房乾燥機３を点検するための点検口１５を設けてある。
【００１０】
浴室暖房乾燥機３としては例えば、図３や図４に示すような外観をしているものがある。この浴室暖房乾燥機３の内部の構造は例えば図５に示す通りで次のように構成されている。浴室暖房乾燥機３の内部には熱交換器９を内装してあり、給湯器から温水を熱交換器９に供給できるようになっており、熱交換器９の近傍に温水の供給を制御する弁１０が設けられている。また浴室暖房乾燥機３内には循環ファン１１や換気ファン１２が内装されており、換気ファン１２を設置した部分から排気ダクト１３を導出してある。図３の浴室暖房乾燥機３は多室換気タイプで複数の給気ダクト及び排気ダクト１３を導出してあり、図４の浴室暖房乾燥機３は１つの排気ダクト１３を導出してある。
【００１１】
この浴室暖房乾燥機３で浴室１の乾燥運転をするときは、循環ファン１１や換気ファン１２が駆動されると共に弁１０が開かれて熱交換器９に温水が供給される。これにより浴室１内の空気は矢印ａのように吸い込み口７から吸い込まれ、熱交換器９で温水と熱交換して加熱され、換気ファン１２を矢印ｂのように通り、加熱された空気が矢印ｃのように吹き出し口８から吹き出される。一方、吸い込み口７から吸い込まれた空気の一部が熱交換器９を通ることなく、矢印ｄのように換気ファン１２を通り、矢印ｅに示すように排気ダクト１３から屋外に排気される。
【００１２】
この浴室暖房乾燥機３の熱交換器９には給湯器からの温水を供給するための温水配管が接続されるのであるが、この温水配管を接続するために熱交換器９と連通する温水接続口１４を浴室暖房乾燥機３の外面から突設してある。温水接続口１４として往き用温水接続口１４ａと戻り用温水接続口１４ｂとがあり、往き用温水接続口１４ａと戻り用温水接続口１４ｂとを並べて浴室暖房乾燥機３の外面から突設してある。往き用温水接続口１４ａと戻り用温水接続口１４ｂとは並べて突設してあるが、往き用温水接続口１４ａと戻り用温水接続口１４は水平方向に位置がずれている（点検口１５に対して一方が他方より遠くに離れるように位置がずれている）と共に上下に位置がずれている。
【００１３】
往き用温水接続口１４ａや戻り用温水接続口１４ｂを配置する部分には銘板のような板体１６が装着されており、この板体１６に設けた切り欠き１７に往き用温水接続口１４ａや戻り用温水接続口１４ｂが夫々挿通されている。この板体１６には往き用温水接続口１４ａと戻り用温水接続口１４ｂを感触で識別するマーク１８が設けられている。つまり、図２に示すように往き用温水接続口１４ａの近傍と戻り用温水接続口１４ｂの近傍で少なくとも一方の位置で板体１５にマーク１８が設けられている。本例の場合、往き用温水接続口１４ａの下方にだけ往き用温水接続口１４ａであることを示すマーク１８を設けてある。このマーク１８は例えば３本の平行な凸条１８ａを水平に突設することで形成されている。
【００１４】
図１にように浴室１の天井に浴室暖房乾燥機３を据え付けた状態で点検口１５から天井裏に身を乗り出して給湯器と連通する温水配管が温水接続口１４に接続されるのであるが、点検口１５から天井裏に身を乗り出しも温水接続口１４が目視できない位置にある。このため、手を伸ばしてマーク１８を指の感触で認識して温水接続口１４が往き用温水接続口１４ａか戻り用温水接続口１４ｂか判断し、往き用温水接続口１４ａに往き用温水配管を差し込み接続すると共に戻り用温水接続口１４ｂに戻り用温水配管を差し込み接続する。これにより温水接続口１４を目視できなくとも往き用と戻り用を間違いなく接続することができる。このとき、往き用温水接続口１４ａと戻り用温水接続口１４ｂは点検口１５に対して一方が他方より遠くに離れるように位置がずれると共に上下にも位置がずれているため、一層往き用温水接続口１４ａと戻り用温水接続口１４ｂとが区別できて一層間違いなく接続できる。
【００１５】
なお、上記例では往き用温水接続口１４ａの近傍にだけマーク１８を設けることで往き用温水接続口１４ａと戻り用温水接続口１４ｂとを識別できるようにしたが、往き用温水接続口１４ａの近傍と戻り用温水接続口１４ｂの近傍の両方に異なる種類のマーク１８を設けて往き用温水接続口１４ａと戻り用温水接続口１４ｂとを識別できるようにしてもよい。
【００１６】
また上記例ではマーク１８として３本の平行な凸条１８ａを設けたが、指の感触で識別できる凹凸のあるものではどのような形態のものを設けてもよい。また上記のようにマーク１８を設けた部分に「温水往き」というような目視できる刻印を併用して形成してもよい。
【００１７】
【発明の効果】
本発明の請求項１の発明は、叙述のように往き用温水接続口と戻り用温水接続口とを識別するために感触で判別できるマークを往き用温水接続口の近傍と戻り用温水接続口の近傍の少なくとも一方に設けたので、点検口から天井裏に身を乗り出した状態で往き用温水接続口や戻り用温水接続口が目視できなくとも指でマークを触ることで往き用か戻り用かを判別でき、往き用温水配管と戻り用温水配管を区別して正確に接続できるものである。
【００１８】
また本発明の請求項２の発明は、請求項１において、往き用温水接続口と戻り用温水接続口は点検口に対して一方が他方より遠くに離れるように位置がずれると共に上下にも位置がずれているので、マークで温水接続口が往き用か戻り用かを判別できると共に温水接続口の水平方向の位置ずれと上下の位置ずれでも温水接続口を区別でき、往き用温水配管と戻り用温水配管を一層区別して正確に接続できるものである。
【図面の簡単な説明】
【図１】本発明の実施の形態の一例の浴室暖房乾燥機を天井に据え付けた状態の断面図である。
【図２】図１のＸ部の拡大図である。
【図３】同上の浴室暖房乾燥機の外観を示す斜視図である。
【図４】同上の浴室暖房乾燥機の他の例の外観を示す斜視図である。
【図５】同上の浴室暖房乾燥機の内部の構造を説明する説明図である。
【符号の説明】
１  浴室
２  天井面
３  浴室暖房乾燥機
１４  温水接続口
１４ａ  往き用温水接続口
１４ｂ  戻り用温水接続口
１５  点検口
１８  マーク
【図１】
2004257712.tif 000003
【図２】
2004257712.tif 000004
【図３】
2004257712.tif 000005
【図４】
2004257712.tif 000006
【図５】
2004257712.tif 000007